(57)【要約】【課題】  本発明の課題は、吸盤を被吸着面に吸着させる作業又はその吸着を解除する作業を迅速に行うことができると共に、吸盤装置を有する器具を構成する器具部材を吸盤装置の上面に配置することができる吸盤装置を提供することである。【解決手段】  吸盤装置１が、吸盤用支持軸３に交差する方向で往復移動可能な操作部材６を有し、且つ操作部材６を所定の方向に移動させることによって吸盤用支持軸３に引っ張り力を与える手段が備えられている。好ましくは、吸盤装置１は、吸盤用支持軸３に交差する方向で往復スライド移動可能な操作部材６を有し、且つ操作部材６を所定の方向にスライド移動させることによって吸盤用支持軸３に引っ張り力を与える手段が備えられている。【選択図】  図１
2016065628.tif 000002
【特許請求の範囲】
【請求項１】
吸盤と、該吸盤の上面中央に立設された吸盤用支持軸とを含み、該吸盤用支持軸に引っ張り力を与えることにより、吸盤を被吸着面に吸着させる吸盤装置において、該吸盤装置は、前記吸盤用支持軸に交差する方向で往復移動可能な操作部材を有し、且つ該操作部材を所定の方向に移動させることによって前記吸盤用支持軸に引っ張り力を与える手段が備えられていることを特徴とする吸盤装置。
【請求項２】
吸盤装置は、前記吸盤用支持軸に交差する方向で往復スライド移動可能な操作部材を有し、且つ該操作部材を所定の方向にスライド移動させることによって前記吸盤用支持軸に引っ張り力を与える手段が備えられている請求項１記載の吸盤装置。
【請求項３】
操作部材を所定の方向に移動させることによって前記吸盤用支持軸に引っ張り力を与える手段は、操作部材の移動を吸盤用支持軸の引っ張り運動に変換するカム機構である請求項１又は請求項２記載の吸盤装置。
【請求項４】
操作部材の上面に、その操作部材の移動方向に延びる傾斜面が形成されており、吸盤用支持軸には、前記傾斜面と係合する係合部が設けられ、操作材の移動に伴い傾斜面が移動しながら前記係合部を押圧上昇させることにより吸盤用支持軸に引っ張り力を与える請求項３記載の吸盤装置。
【請求項５】
操作部材には、吸盤用支持軸をその操作部材に挿通させ吸盤用支持軸の上端部を操作部材の上方に突出させるための挿通孔が設けられ、該挿通孔は操作部材を移動可能とする方向に延びて操作部材は吸盤用支持軸に対して移動可能であり、吸盤用支持軸には、この中心軸と直交する方向に貫通した貫通孔がその上端部に設けられ、吸盤用支持軸が前記挿通孔に挿通された状態で支持ピンが貫通孔に挿通されており、支持ピンの貫通孔から突き出た部分が前記係合部として操作部材の傾斜面に係合し、操作部材の移動に伴い傾斜面が移動しながら前記係合部を押圧上昇させることにより吸盤用支持軸に引っ張り力を与える請求項４記載の吸盤装置。
【請求項６】
操作部材はハウジングの中に取り付けられ、その操作部材の両端部が突出可能な一対の孔が、ハウジングの周壁に形成されている請求項１乃至請求項５のいずれか一項記載の吸盤装置。
【請求項７】
吸盤を被吸着面に吸着させた状態での、ハウジングの周壁表面に対する操作部材の両端部の突出量はそれぞれ５ｍｍ以下である請求項６記載の吸盤装置。
【請求項８】
吸盤を被吸着面に吸着させた状態での、操作部材の一方の端部の突出量はゼロ又はマイナスであり、他方の端部の突出量は５ｍｍ以下であって、他方の端部は、操作部材を押して移動させることによって吸盤用支持軸に与えられていた引っ張り力を解除するときに、操作部材を押す方の端部である請求項７記載の吸盤装置。
【請求項９】
吸盤と、該吸盤の上面中央に立設された吸盤用支持軸とを含み、該吸盤用支持軸に引っ張り力を与えることにより、吸盤を被吸着面に吸着させる吸盤装置において、吸盤装置は操作部材を有し、且つ該操作部材を所定の方向に移動させることによって前記吸盤用支持軸に引っ張り力を与える手段が備えられ、吸盤が被吸着面に吸着状態にある場合においても又は吸盤を被吸着面に対して着脱操作する場合においても、操作部材はハウジングの最も高い位置を超えて突出しないことを特徴とする吸盤装置。
【発明の詳細な説明】
【技術分野】
【０００１】
本発明は、主に一般家庭で、流し台の上面や浴室の壁に吸着固定して使用される器具が有する吸盤装置に関する。
【背景技術】
【０００２】
従来の吸盤装置の多くは、吸盤用支持軸が吸盤の上面中央に立設され、操作部材を操作して吸盤用支持軸に引っ張り力を与える構成であり、種々の構成のものが提案されているが、操作部材自体については、レバー式のものとネジ式のものに大別できる。レバー式のものは、吸盤用支持軸の上端部にレバーが旋回可能に枢着されており、レバーを旋回させることにより吸盤用支持軸に引っ張り力を与える構成である。また、ネジ式のものは、吸盤用支持軸に雄ネジが刻設され、操作部材に雌ネジが刻設され、吸盤用支持軸に操作部材が螺合されている。そして、通常は、操作部材を時計回りに回転させることにより、吸盤用支持軸に引っ張り力を与える構成である。
【０００３】
レバー式の吸盤装置は、レバーを９０°前後旋回させるだけで吸着のための操作が完了するので、作業を迅速に行うことができる。したがって、吸盤装置を頻繁に付け替えるときに便利であるという長所を有する。しかし、レバーは、その基部が吸盤の上面中央に立設された吸盤用支持軸に枢着されているから、レバーの取付け位置は、吸盤装置の上面のほぼ中央となり、その取り付け位置を中心にレバーが旋回することになる。このため、レバー式の吸盤装置はレバーの存在によってその上面の使用が制限されるので、吸盤装置を有する器具を構成する器具部材、例えば吊り下げ用フックなどの設定位置は吸盤装置の周面に限定される。
【０００４】
他方、ネジ式の吸盤装置は、ネジである操作部材の周面をネジの側方から指で握って操作部材を回転させるので、吸盤装置の上面の使用が制限されることがなく、吸盤装置の上面に吊り下げ用フックなどを設定することは可能である。しかし、ネジである操作部材を回転させて吸盤用支持軸を引っ張るので、大きな力を得るためにネジのピッチが小さく設定されており、吸盤を完全に吸着させるまでに操作部材を数多く回転させなければならない。このため、吸着作業完了までに時間がかかるのである。例えば浴室のシャワー掛け具のように、一度吸着させたら付け替えることのない器具として使用される場合は、吸着作業に時間がかかってもそれほど不便を感じない。しかし、その都度吸着場所が変わり、吸盤装置を頻繁に付け替える必要がある器具として使用される場合は、その付け替え作業ごとに手間と時間がかかり不便である。
【先行技術文献】
【特許文献】
【０００５】
【特許文献１】特開２０１３−２１７４７５号公報
【特許文献２】特開２００９−９２１０７号公報
【発明の概要】
【発明が解決しようとする課題】
【０００６】
本発明は、吸盤を被吸着面に吸着させる作業又はその吸着を解除する作業を迅速に行うことができると共に、吸盤装置を有する器具を構成する器具部材を吸盤装置の上面に配置することができる吸盤装置を提供することを目的とする。
【課題を解決するための手段】
【０００７】
請求項１に記載の発明は、吸盤と、この吸盤の上面中央に立設された吸盤用支持軸とを含み、この吸盤用支持軸に引っ張り力を与えることにより、吸盤を被吸着面に吸着させる吸盤装置であって、吸盤装置が、前記吸盤用支持軸に交差する方向で往復移動可能な操作部材を有しており、且つこの操作部材を所定の方向に移動させることによって前記吸盤用支持軸に引っ張り力を与える手段が備えられている構成である。
【０００８】
請求項２に記載の発明は、吸盤装置が、吸盤用支持軸に交差する方向で往復スライド移動可能な操作部材を有しており、且つこの操作部材を所定の方向にスライド移動させることによって前記吸盤用支持軸に引っ張り力を与える手段が備えられている構成である。
【０００９】
請求項３に記載の発明は、操作部材を所定の方向に移動させることによって吸盤用支持軸に引っ張り力を与える手段が、操作部材の移動を吸盤用支持軸の引っ張り運動に変換するカム機構である構成である。
【００１０】
請求項４に記載の発明は、操作部材の上面に、その操作部材の移動方向に延びる傾斜面が形成されており、吸盤用支持軸には、前記傾斜面と係合する係合部が設けられ、操作部材の移動に伴い傾斜面が移動しながら前記係合部を押圧上昇させることにより吸盤用支持軸に引っ張り力を与える構成である。
【００１１】
請求項５に記載の発明は、操作部材に、吸盤用支持軸をその操作部材に挿通させ吸盤用支持軸の上端部を操作部材の上方に突出させるための挿通孔が設けられ、この挿通孔は操作部材を移動可能とする方向に延びて操作部材は吸盤用支持軸に対して移動可能であり、吸盤用支持軸には、この中心軸と直交する方向に貫通した貫通孔がその上端部に設けられ、吸盤用支持軸が前記挿通孔に挿通された状態で支持ピンが貫通孔に挿通されており、支持ピンの貫通孔から突き出た部分が前記係合部として操作部材の傾斜面に係合し、操作部材の移動に伴い傾斜面が移動しながら前記係合部を押圧上昇させることにより吸盤用支持軸に引っ張り力を与える構成である。
【００１２】
請求項６に記載の発明は、操作部材がハウジングの中に取り付けられ、その操作部材の両端部が突出可能な一対の孔が、ハウジングの周壁に形成されている構成である。
【００１３】
請求項７に記載の発明は、吸盤を被吸着面に吸着させた状態での、ハウジングの周壁表面に対する操作部材の両端部の突出量はそれぞれ５ｍｍ以下である構成である。
【００１４】
請求項８に記載の発明は、吸盤を被吸着面に吸着させた状態での、操作部材の一方の端部の突出量はゼロ又はマイナスであり、他方の端部の突出量は５ｍｍ以下であって、他方の端部は、操作部材を押して移動させることによって吸盤用支持軸に与えられていた引っ張り力を解除するときに、操作部材を押す方の端部である構成である。
【００１５】
請求項９に記載の発明は、吸盤と、この吸盤の上面中央に立設された吸盤用支持軸とを含み、この吸盤用支持軸に引っ張り力を与えることにより、吸盤を被吸着面に吸着させる吸盤装置であって、吸盤装置は操作部材を有し、且つこの操作部材を所定の方向に移動させることによって前記吸盤用支持軸に引っ張り力を与える手段が備えられ、吸盤が被吸着面に吸着状態にある場合においても又は吸盤を被吸着面に対して着脱操作する場合においても、操作部材がハウジングの最も高い位置を超えて突出しない構成である。
【発明の効果】
【００１６】
請求項１に記載の発明は、操作部材が吸盤用支持軸に交差する方向で往復移動可能であり、この操作部材を所定の方向に移動させることによって吸盤用支持軸に引っ張り力を与える手段が備えられている。したがって、操作部材の存在にかかわらず、器具部材を吸盤装置の上面に配置することが可能であり、吸盤装置付きの種々の器具に幅広く使用することができる。また、往復移動可能な操作部材を所定の方向に移動させることによって吸盤用支持軸に引っ張り力を与えることができるので、吸盤を迅速に被吸着面に吸着させることができる。
【００１７】
請求項２に記載の発明は、吸盤装置が、吸盤用支持軸に交差する方向で往復スライド移動可能な操作部材を有しており、且つこの操作部材を所定の方向にスライド移動させることによって前記吸盤用支持軸に引っ張り力を与える手段が備えられている。したがって、操作部材の移動がスライド移動であるから、操作を円滑に行うことができる。
【００１８】
請求項３に記載の発明は、操作部材を所定の方向に移動させることによって吸盤用支持軸に引っ張り力を与える手段が、操作部材の移動を吸盤用支持軸の引っ張り運動に変換するカム機構である。カム機構は運動の伝達を滑らかに行うことができる機構であるから、操作部材が移動中にガタつくことがなく、操作部材を滑らかに移動させることができる。
【００１９】
請求項４に記載の発明は、操作部材の上面に、その操作部材の移動方向に延びる傾斜面が形成されており、吸盤用支持軸には、前記傾斜面と係合する係合部が設けられ、操作部材の移動に伴い傾斜面が移動しながら前記係合部を押圧上昇させることにより吸盤用支持軸に引っ張り力を与える構成である。吸盤装置を確実に吸着させるためには、吸盤用支持軸を引っ張り上げて、吸盤と被吸着面との間に真空状態をつくることが必要であるが、そのためには大きな力が必要となる。本発明は、操作部材の傾斜面を使用し、操作部材の移動方向の力の一部を、吸盤用支持軸を引っ張り上げる力に変えてその吸盤用支持軸を徐々に引っ張り上げるので、比較的小さな力で吸盤用支持軸を引っ張り上げることができる。
【００２０】
請求項５に記載の発明は、操作部材に、吸盤用支持軸をその操作部材に挿通させ吸盤用支持軸の上端部を操作部材の上方に突出させるための挿通孔が設けられ、この挿通孔は操作部材を移動可能とする方向に延びて操作部材は吸盤用支持軸に対して移動可能であり、吸盤用支持軸には、この中心軸と直交する方向に貫通した貫通孔がその上端部に設けられ、吸盤用支持軸が前記挿通孔に挿通された状態で支持ピンが貫通孔に挿通されており、支持ピンの貫通孔から突き出た部分が前記係合部として操作部材の傾斜面に係合し、操作部材の移動に伴い傾斜面が移動しながら前記係合部を押圧上昇させることにより吸盤用支持軸に引っ張り力を与えるものである。したがって、傾斜面と係合する係合部が、支持ピンの貫通孔から突き出た部分であるから、傾斜面と係合部の接触面積はわずかである。このため、操作部材を移動させるときに発生する傾斜面と係合部との摩擦力を小さくすることができ、操作部材を容易に移動させることができる。
【００２１】
請求項６に記載の発明は、操作部材がハウジングの中に取り付けられ、その操作部材の両端部が突出可能な一対の孔が、ハウジングの周壁に形成されている。したがって、操作部材を移動させるために操作部材の端部を指先で押して、操作部材が所定の位置に到達したときに指先がハウジングの周壁表面に当たるので、必要以上に操作部材を押すことを防止できる。
【００２２】
請求項７に記載の発明は、吸盤を被吸着面に吸着させた状態での、ハウジングの周壁表面に対する操作部材の両端部の突出量はそれぞれ５ｍｍ以下である。したがって、操作部材の端部がハウジングの周壁表面から突出してもわずかであり、吸盤装置の使用に邪魔になることはないのである。
【００２３】
請求項８に記載の発明は、吸盤を被吸着面に吸着させた状態での、操作部材の一方の端部の突出量はゼロ又はマイナスであり、他方の端部の突出量は５ｍｍ以下であって、他方の端部は、操作部材を押して移動させることによって吸盤用支持軸に与えられていた引っ張り力を解除するときに、操作部材を押す方の端部である。したがって、吸着状態にあるときは、操作部材の一方の端部が突出しないので、見た目を良くすることができる。
【００２４】
請求項９に記載の発明は、吸盤と、この吸盤の上面中央に立設された吸盤用支持軸とを含み、この吸盤用支持軸に引っ張り力を与えることにより、吸盤を被吸着面に吸着させる吸盤装置において、吸盤装置は操作部材を有し、且つこの操作部材を所定の方向に移動させることによって前記吸盤用支持軸に引っ張り力を与える手段が備えられ、吸盤が被吸着面に吸着状態にある場合においても又は吸盤を被吸着面に対して着脱操作する場合においても、操作部材はハウジングの最も高い位置を超えて突出しない。したがって、器具の目的を果たすために、吸盤装置の上面を広い範囲に亘って使用することができる。
【図面の簡単な説明】
【００２５】
【図１】図１は本発明の第一実施例の分解斜視図である。
【図２】図２は第一実施例のハウジングを下方から見た斜視図である。
【図３】図３は第一実施例の吸盤受けを下方から見た斜視図である。
【図４】図４は第一実施例の吸盤用支持軸に十分な引っ張り力が生じている状態を示すネジ穴支柱部及び固定用支柱部を省略した断面図である。
【図５】図５は第一実施例の吸盤用支持軸に引っ張り力がほぼ生じていない状態を示すネジ穴支柱部及び固定用支柱部を省略した断面図である。
【図６】図６はペーパータオルスタンドの吸盤装置として第一実施例が使用された正面図である。
【図７】図７はペットボトル干しの吸盤装置として第二実施例が使用された分解斜視図である。
【図８】図８は第二実施例の分解した主要部を下方から見た斜視図である。
【図９】図９は第二実施例の分解した主要部を上方から見た斜視図である。
【図１０】図１０は第二実施例の吸盤用支持軸に引っ張り力がほぼ生じていない状態を示す断面図である。
【図１１】図１１はペットボトル干しの吸盤装置として第二実施例が使用された正面図である。
【発明を実施するための形態】
【００２６】
以下、本発明の第一実施例について、図１から図６を参照しながら説明する。図１に示すように、第一実施例の吸盤装置１は、吸盤２と、吸盤２の中央に立設された断面正六角形の吸盤用支持軸３と、コイルばね４と、吸盤受け５と、操作部材６と、支持ピン７と、ハウジング８とから成る。吸盤２は、被吸着面に吸盤装置１を吸着させるためのものであり、吸盤用支持軸３はその吸盤２と一体形成されている。また、吸盤用支持軸３の上部には、この吸盤用支持軸３の中心軸と直交する方向に貫通した貫通孔９が設けられている。
【００２７】
図４に示すように、吸盤受け５は、変形する吸盤２を吸盤受け５の周壁１２で受けるためのものであり、硬質プラスチック等の硬質の材料で形成されている。なお、図４の断面図では、ハウジング８の内部上面に設けられたネジ穴支柱部１９と固定用支柱部２１が省略されている。また、図３に示すように、吸盤受け５は、その中央に正六角形の軸孔１０が形成され、その周りに４つのネジ挿通孔１１（一つは図示せず。）が形成されている。
【００２８】
操作部材６は、その長手方向に移動させることによって、吸盤用支持軸３に引っ張り力を与えたり、引っ張り力を解除したりするものであり、硬質プラスチック等の硬質の材料で形成されている。また、操作部材６には、吸盤用支持軸３をその操作部材６に挿通させ吸盤用支持軸３の上端部を操作部材６の上方に突出させるための挿通孔１３が設けられている。挿通孔１３は平面視、操作部材６の長手方向に細長く延びている。挿通孔１３の両側の側壁１４の上面はそれぞれ長手方向に傾斜する傾斜面１５に形成されている。この傾斜面１５に、吸盤用支持軸３の貫通孔９に挿通された支持ピン７のその貫通孔９から突出した一対の係合部２８が係合する。さらに、傾斜面１５の高い方の端部に係止凹部１６が形成されている。この係止凹部１６は、支持ピン７の両係合部２８を受けて支持ピン７を係止するためのものである。
【００２９】
図２に示すように、ハウジング８は、その周壁１７に操作部材６の両端部が突出可能な一対の孔１８が形成されている。突出可能ということは、操作部材６の端部が突出し得る大きさを有しているということであって、実際に端部が突出するかしないかは問題とされない。また、ハウジング８の内部上面には、４つのネジ穴支柱部１９と、吸盤装置１を有する器具を構成する器具部材２０を固定するための一対の固定用支柱部２１が形成されている。この固定用支柱部２１には、器具部材２０の２つの脚部２２を挿し込むための挿し込み孔２３が長手方向に貫通しており、図１に示すようにその挿し込み孔２３はハウジング８の上面まで貫通している。
【００３０】
次に、第一実施例の組み立て方について説明する。まず、吸盤用支持軸３にコイルばね４を取り付ける。次いで、吸盤受け５の軸孔１０に、その下側から吸盤用支持軸３を挿通する。次いで、操作部材６を吸盤受け５の上面に載せ、吸盤受け５の軸孔１０から突出している吸盤用支持軸３を、操作部材６の挿通孔１３に挿通する。次いで、その挿通孔１３から突出させた吸盤用支持軸３の貫通孔９に、支持ピン７を挿通する。このようにして組み立てられたものは、図５からハウジング８を除いた内部機構である。次に、この図５における内部機構の操作部材６の突出している方の端部２７を押して操作部材６をやや左側に移動させ、その一方の端部２７の突出量をやや小さくする。次いで、操作部材６をやや斜めにしながら、その端部２７の先端を、ハウジング８の下側からハウジング８の一方の孔１８に挿し入れ、端部２７の先端が孔１８から突出するまで内部機構を旋回させる。このようにして、内部機構はハウジング８の中に完全に収まる。次に、内部機構を収めたハウジング８を裏返し、吸盤２をめくり上げて吸盤受け５のネジ挿通孔１１を露出させ、その孔１１からネジ（図示せず。）を挿通させ、ハウジング８のネジ穴支柱部１９に螺合させる。４本のネジ（図示せず。）を螺合させることによって、吸盤装置１の組み立てが完了する。
【００３１】
この吸盤装置１を、図６に示すようにペーパータオルスタンドとして使用するときは、まず、図５に示すように操作部材６の一方の端部２７を一杯に突出した状態とする。このとき、支持ピン７は傾斜面１５の最も低い位置にあるので、吸盤用支持軸３に引っ張り力が生じていないか、生じていてもわずかである。次に、吸盤２を被吸着面に宛がって操作部材６の一方の端部２７を押し、操作部材６を図５において左側に移動させる。操作部材６の移動に伴い、その傾斜面１５が支持ピン７を押し上げ、吸盤用支持軸３に引っ張り力を与える。図４に示すように操作部材６の一方の端部２７を一杯に押し込むと、吸盤２が撓んで被吸着面との間に真空状態を生じさせ、吸盤装置１は被吸着面に吸着する。傾斜面１５の最も高い位置に係合凹部１６が形成されているので、操作部材６はこの位置に固定される。このように、本発明では、操作部材６を一方向に移動させるだけで、迅速に吸盤装置１を被吸着面に吸着させることができる。なお、ワイヤーで形成された器具部材２０は、吸盤装置１を被吸着面に吸着固定させる前に、あらかじめその脚部２２がハウジング８の上面の挿し込み孔２３に挿し込まれて、固定用支柱部２１で固定されている。これに代えて、吸盤装置１を被吸着面に吸着固定させた後に、器具部材２０を吸盤装置１に固定する構成であっても差し支えない。図６に示した第一実施例の器具は、ペーパータオルスタンドであって、ロール状ペーパータオルの円筒状芯の空洞に支持部２４を挿入してペーパータオルを立て、保持部２５のスリット２６にロールから引き出したペーパータオルを差し入れて、そのスリット２６を介して必要なペーパータオルを引き出して使用するものである。
【００３２】
次に、図４に示す吸盤２の吸着状態を解除する方法について説明する。操作部材６の他方の端部２９が、ハウジング８の孔１８からやや突出しているので、この端部２９を指先でハウジング８の中に押し込んで操作部材６をやや右側に移動させる。そうすると、操作部材６の係合凹部１６に係合している支持ピン７が係合凹部１６から外れて、操作部材６の一方の端部２７がハウジング８から突出する。そこで、その端部２７を指先で摘まんで引っ張ると、支持ピン７が傾斜面１５上を下がって行くので、小さな力で操作部材６を図５に示す位置まで移動させることができる。このように、指先による小さな力で操作部材６を移動させることができるので、操作部材６の他方の端部２９のハウジング８からの突出量がわずかであって、この端部２９をハウジング８の中に押し込んだときに、一方の端部２７の突出量が１０ｍｍに満たなくても、その端部２７を摘まんで操作部材６を移動させることができるのである。操作部材６が図５の位置に移動したときに吸着状態が解除される。このように、本発明では、操作部材６を一方向に移動させるだけで、迅速に吸着状態を解除することができる。
【００３３】
次に、第一実施例のサイズについて説明する。ハウジング８の直径は約６４ｍｍであり、高さは約３２ｍｍである。吸盤２の厚みは約５ｍｍである。また、操作部材６の長さは約６６ｍｍであり、高さは約１３ｍｍであり、幅は約１８ｍｍである。したがって、図４において、操作部材６の一方の端部２７の突出量はゼロであるので、他方の端部２９の突出量は約２ｍｍである。このように、吸着時において操作部材６は他方の端部２９が２ｍｍ程度突出するだけであるから、見た目が良いのである。なお、本発明が、前述した数値に限定されないことは勿論である。
【００３４】
次に、本発明の第二実施例について、図７から図１１を参照しながら説明する。第二実施例の吸盤装置３０は、第一実施例と同様に、吸盤３１、断面が正六角形で貫通孔６４を有する吸盤用支持軸３２、操作部材３３、支持ピン３４及びハウジング３５を有しており、傾斜面３６を有する操作部材３３を移動させて支持ピン３４を引き上げ、吸盤用支持軸３２に引っ張り力を与えて被吸着面に吸盤３１を吸着させるものであり、この基本的構成については共通しているため説明は省略する。
【００３５】
第二実施例が第一実施例と異なる点の一つは、第一実施例が有していた吸盤受け５を有しておらず、第二実施例のハウジング３５が吸盤受けも兼ねている点である。また、第二実施例では第一実施例のコイルばね４も有していない。吸盤３１の弾性力を強くすれば、コイルばねがなくても非吸着時に吸盤３１はその弾性力によって自動的に元の形に戻るからである。第一実施例のハウジング８は、その上面部と周壁１７が一体に形成されているが、第二実施例のハウジング３５は、上面部に該当する蓋３７とハウジング本体３８とが別体に形成されている。ハウジング本体３８の筒状部分が周壁に該当することは言うまでもない。したがって、ハウジング３５はハウジング本体３８と蓋３７とを含んだ概念である。また、第一実施例の吸盤２と吸盤用支持軸３とは一体に形成されているが、図１０に示すように、第二実施例の吸盤３１と吸盤用支持軸３２は別体に形成され、吸盤用支持軸３２の基部３９が吸盤３１の中に埋め込まれている構成である。
【００３６】
まず、第二実施例の蓋３７の構成について説明する。蓋３７は、図９に示すように富士山型に形成され、その内部は空洞であって、図７に示すように頂面４１に３つの挿し込み孔４０が形成されている。また、図１０に示すように蓋３７の内面であって頂面４１の下側に円柱部材４２が嵌め込まれており、図７に示すようにこの円柱部材４２には３つの挿通孔４３が形成されている。嵌め込まれた円柱部材４２の３つの挿通孔４３と、蓋３７の３つの差し込み孔４０の位置は一致し、内径も等しい。円柱部材４２が蓋３７から外れることを防止するために、図１０に示すように押さえ板４４が蓋３７の内部に取り付けられている。この押さえ板４４は、図７に示すように外周寄りに３つのネジ挿通孔４５と、その内寄りに３つの止め孔４６が形成されている。押さえ板４４は、蓋３７の内部で円柱部材４２の下側に宛がわれ、３つのネジ４７をネジ挿通孔４５に挿通させ、ネジ穴４８に螺合させることにより、蓋３７の内部に固定される。３つの止め孔４６の位置は、円柱部材４２の３つの挿通孔４３と一致しているが、止め孔４６の内径は挿通孔４３よりも小さい。頂面４１の差し込み孔４０と、円柱部材４２の挿通孔４３と、押さえ板４４の止め孔４６には、ペットボトルを逆さにして干すためのワイヤーで形成された器具部材４９の脚部５０が挿通される。脚部５０の下端部６６は細く形成されているので段差が形成されており、下端部６６が止め孔４６に挿し込まれたときに、その段差が押さえ板４４に係止して器具部材４９を支持するのである。さらに、図８に示すように、蓋３７の内面には下方に延びる４本の嵌め込み脚部５９が設けられている。
【００３７】
図９に示すように、操作部材３３は、第一実施例と同じように、傾斜面３６が形成され、その傾斜面３６の最も高い端部に係止凹部５１が形成され、長手方向に細長い挿通孔５２が形成されており、これらは第一実施例と同じ役目を果たす。ただし、一方の端部５３に対して他方の端部５４の厚みと横幅が小さい。これに対応するように、ハウジング３５の一方の孔５５に対して他方の孔５６の高さと幅は小さく形成されている。また、図１０に示すように、操作部材３３は２つのパーツ５７，５８で組み立てられている。一方のパーツ５７の内部を空洞とした理由は、このパーツ５７が肉厚となるために、成型時にその部分が収縮を起こし，表面にヒケと呼ばれる窪みが生じることを避けるためである。
【００３８】
図８に示すように、ハウジング本体３８は底面部６０を有し、その中心に正六角形の軸孔６１が形成されている。また、図７に示すように、底面部６０にはそれぞれ固定用穴６２を有する４つの固定用支柱部６３が形成されている。これらの固定用穴６２に、蓋３７の４つの嵌め込み脚部５９を嵌め込むことにより、ハウジング３５が組み立てられる。また、ハウジング３５の軸孔６１の両側に一対のガイド６５が形成されている。これらのガイド６５は、操作部材３３のスライド移動時にその操作部材３３が両ガイド６５の間を通るようにして、操作部材３３の移動の際の横ブレを防止するためである。
【００３９】
次に、第二実施例の組み立て方について説明する。なお、前述した蓋３７については、図８又は図９に示すように組み立てられているものとする。そこで、まず、操作部材３３の小さい方の端部５４を、ハウジング３５の大きい方の孔５５から挿し入れ、操作部材３３を図１０に示す位置まで移動させる。次いで、吸盤用支持軸３２をハウジング３５の軸孔６１に下から挿し入れ、その吸盤用支持軸３２を操作部材３３の挿通孔５２に挿通する。次に、挿通孔５２から露出した貫通孔６４に支持ピン３４を挿通する。それから、前述した蓋３７の嵌め込み脚部５９を、固定用支柱軸６３に嵌め込むことによって、吸盤装置３０が組み立てられる。なお、操作部材３３の端部５４と、それを受けるハウジング３５の孔５６を小さくした理由は、吸盤装置３０の不使用時には、図１０に示すようにハウジング３５の小さい方の孔５６が開放された状態となって、ゴミや埃が入り易いので、小さくすることによって入りづらくするためである。また、見た目にも孔５６は小さい方が体裁がよいからである。さらに、両端部５３，５４の大きさが異なることにより、吸着用の端部であるか、吸着解除用の端部であるかを容易に認識できるからである。
【００４０】
この吸盤装置３０を、ペットボトル干しとして使用するときは、まず、被吸着面に吸盤装置３０を吸着させることが前提となる。図１０は、吸盤用支持軸３２に引っ張り力が生じていない状態であり、非吸着状態にある。この状態で、吸盤３１を被吸着面に宛がい、操作部材３３をこの図で左側に移動させることによって、吸盤用支持軸３２に引っ張り力が生じ、吸盤装置３０が被吸着面に吸着されることは第一実施例と同じである。また、吸着状態を解除する方法も第一実施例と同じである。操作部材３３を吸着状態となるまで移動させたときに、操作部材３３の大きい方の端部５３のハウジング３５からの突出量はゼロである。また、小さい方の端部５４の突出量はプラスの値となる。なお、ペットボトルを逆さにして干すためのワイヤーで形成された３つの器具部材４９は、被吸着面に吸盤装置３０を吸着させる前に、あらかじめ器具部材４９の脚部５０を、頂面４１の差し込み孔４０と、円柱部材４２の挿通孔４３と、押さえ板４４の止め孔４６に挿し込まれている。図１１は器具部材４９が挿し込まれた状態を示している。しかし、図１１に示された器具部材４９の状態では使用することができないので、この状態から、３つの器具部材４９の真ん中の器具部材４９を中心に、その両側の器具部材４９をそれぞれ反対方向に１２０度回転させると、器具部材４９は１２０度の角度をもって３方向に広がる。そして、ペットボトルを逆さにしてその口から器具部材４９を挿し入れ、ペットボトルを干すのである。これに代えて、器具部材４９は、吸盤装置３０を被吸着面に吸着させた後で、吸盤装置３０に挿し込む構成であっても差し支えない。
【００４１】
次に、第二実施例のサイズについて説明する。ハウジング３５の直径は約６４ｍｍであり、蓋３７を含めたハウジング３５の高さは約５０ｍｍであり、吸盤３１の厚みは約６ｍｍである。したがって、吸盤装置３０の全体の高さは約５６ｍｍである。また、操作部材３３の長さは約６９ｍｍである。吸着時に操作部材３３の大きい方の端部５３の突出量がゼロのとき、小さい方の突出量は約５ｍｍである。なお、本発明が、前述した数値に限定されないことは勿論である。
【００４２】
なお、本発明は前述した構成に基づいて種々の態様をとることが可能である。例えば、ワイヤーで２つの枠状部を形成し、それらの枠状部を間隔を開けて対向させ、その間隔に鍋蓋やまな板を配置できるようにした鍋蓋立てやまな板立てとすることができる。また、前述したペーパータオルスタンドの保持部２５のスリット２６を、器具部材の上面に配置して、スリット２６に包丁の刃を挿し込むことができる包丁立てとすることもできる。さらに、器具部材を吸盤装置に恒久的に取り付けてもよく、器具部材を吸盤装置に着脱自在として、異なる器具部材を交換できるようにしてもよい。器具部材がワイヤー製のものに限定されないことは勿論である。
【産業上の利用可能性】
【００４３】
吸盤装置の上面に器具部材を取り付けることが可能で、且つ吸盤装置の吸着とその解除を迅速に行うことができる。
【符号の説明】
【００４４】
１  吸盤装置、    ２  吸盤、    ３  吸盤用支持軸、    ４  コイルばね、    ５  吸盤受け、    ６  操作部材、    ７  支持ピン、    ８  ハウジング、    ９  貫通孔、    １０  軸孔、    １１  ネジ挿通孔、    １２  周壁、    １３  挿通孔、    １４  側壁、    １５  傾斜面、    １６  係止凹部、    １７  周壁、    １８  孔、    １９  ネジ支柱部、    ２０  器具部材、    ２１  固定用支柱部、    ２２  脚部、    ２３  挿し込み孔、    ２４  支持部、    ２５  保持部、    ２６  スリット、  ２７  端部、    ２８  係合部、    ２９  端部、    ３０  吸盤装置、    ３１  吸盤、    ３２  吸盤用支持軸、    ３３  操作部材、    ３４  支持ピン、    ３５  ハウジング、    ３６  傾斜面、    ３７  蓋、    ３８  ハウジング本体、    ３９  基部、    ４０  挿し込み孔、    ４１  頂面、    ４２  円柱部材、    ４３  挿通孔、    ４４  押さえ板、    ４５  ネジ挿通孔、    ４６  止め孔、    ４７  ネジ、    ４８  ネジ穴、    ４９  器具部材、    ５０  脚部、    ５１  係止凹部、    ５２  挿通孔、    ５３  端部、    ５４  端部、    ５５  孔、    ５６  孔、    ５７  パーツ、    ５８  パーツ、    ５９  嵌め込み脚部、    ６０  底面部、    ６１  軸孔、    ６２  固定用孔、    ６３  固定用支柱部、    ６４  貫通孔、    ６５  ガイド、    ６６  下端部
【図１】
2016065628.tif 000003
【図２】
2016065628.tif 000004
【図３】
2016065628.tif 000005
【図４】
2016065628.tif 000006
【図５】
2016065628.tif 000007
【図６】
2016065628.tif 000008
【図７】
2016065628.tif 000009
【図８】
2016065628.tif 000010
【図９】
2016065628.tif 000011
【図１０】
2016065628.tif 000012
【図１１】
2016065628.tif 000013